(57)【要約】【課題】リポートデータと、それに対応する表示画像データとを関連付けすることで、過去の計測リポートの検索閲覧が容易にできる超音波診断装置を提供する。【解決手段】受信した超音波信号に基づいて超音波画像データを形成する画像形成手段１と、超音波画像データから計測値を導出する計測値演算手段２と、計測値に外部からの入力データを追加してリポートデータを作成するリポート作成手段３と、表示画像データと対応するリポートデータとを関連付けてデータ記憶手段９に記憶させ、保存されている表示画像データおよびリポートデータを読み出す際は、データ記憶手段９に保存されているリポートデータをリポート作成手段に送り、かつデータ記憶手段９に保存されている表示画像データをもとに画像を表示させるデータ制御手段８とを備えている。【選択図】  図１
2005287753.tif 000002
【特許請求の範囲】
【請求項１】
超音波を送受波する電気音響変換手段と、
前記電気音響変換手段で受信した超音波信号に基づいて超音波画像データを形成する画像形成手段と、
前記超音波画像データから計測値を導出する計測値演算手段と、
前記計測値に外部からの入力データを追加してリポートデータを作成するリポート作成手段と、
前記超音波画像データおよび前記リポートデータそれぞれを、表示部に表示するための表示画像データに変換して出力する表示出力手段と、
前記リポート作成手段に前記入力データを入力する入力手段と、
前記表示出力手段から出力された前記表示画像データを記憶する画像記憶手段と、
前記表示画像データと前記リポートデータとを記憶するデータ記憶手段と、
前記表示画像データと対応する前記リポートデータとを関連付けて前記データ記憶手段に記憶させ、保存されている前記表示画像データおよび前記リポートデータを読み出す際は、前記データ記憶手段に保存されている前記リポートデータを前記リポート作成手段に送り、かつ前記データ記憶手段に保存されている前記表示画像データに基づいて画像を表示させるデータ制御手段とを備えた超音波診断装置。
【請求項２】
前記リポートデータに関連付けられた前記表示画像データが１つ以上である請求項１に記載の超音波診断装置。
【請求項３】
前記データ制御部は、表示されている画像に対応する前記表示画像データが前記リポートデータに関連付けられている場合に、前記リポートデータが関連付けされていることを示す表示マークを表示する請求項１または請求項２に記載の超音波診断装置。
【請求項４】
前記入力手段により、画像表示されている前記表示マークが任意に選択されると、前記データ制御部は、前記データ記憶部から、前記表示されている画像に対応する前記表示画像データに関連付けられた前記リポートデータを読み出す請求項３に記載の超音波診断装置。
【発明の詳細な説明】
【技術分野】
【０００１】
本発明は、超音波を送受波し、被検査物からの超音波画像の形成や検査値の演算を行い、各種リポートの作成を行う超音波診断装置に関する。
【背景技術】
【０００２】
従来の超音波診断装置は、一般的に、超音波画像情報を得た後、装置上の計測機能を用いて計測値や演算値をリポートデータとして作成し、電子ファイルとして保存することや電子ファイルのうちの画像データを閲覧することができる。図７は、従来の超音波診断装置のモニタに各電子ファイルが表示されている表示の一例を示す図である。表示７００に示すように、ファイル名が例えば、「PatientID 20031024 0001.REP」、「PatientID 20031024 0002.REP」、「PatientID 20031024 0001.BMP」、「PatientID 20031024 0002.BMP」としてそのまま表示されている。
【０００３】
リポートデータに関しては、レイアウト編集を可能にしたものや超音波画像を取り込んで表示する技術がある(例えば、特許文献１および特許文献２参照)。また、リポートデータ中の数値をモニタ上で選択することにより関連する医療情報を呼出す技術もある（例えば、特許文献３参照）。
【特許文献１】特開２０００−１３５２１６号公報
【特許文献２】特開平９−１７３３３２号公報
【特許文献３】特開２００１−３２７５０７号公報
【発明の開示】
【発明が解決しようとする課題】
【０００４】
しかしながら、従来の超音波診断装置に備えられているリポート機能では、作成された各種リポートデータのみが電子ファイルとして保存されており、リポートを閲覧する場合には、リポートデータを読み出さなければ計測値を確認することができない。
【０００５】
また、各種リポートデータを有する計測情報内から所望のリポートを読み出す場合においても、不要なリポートデータまでも読み出して、その中から所望のリポートを選択し確認する必要があった。
【０００６】
本発明は、上記従来の問題を解決するもので、リポートデータと、それに対応する表示画像データとを関連付けすることで、過去の計測リポートの検索閲覧が容易にできる超音波診断装置を提供することを目的とする。
【課題を解決するための手段】
【０００７】
上記問題を解決するために本発明の超音波診断装置は、超音波を送受波する電気音響変換手段（探触子）と、前記電気音響変換手段で受信した超音波信号に基づいて超音波画像データを形成する画像形成手段（超音波画像形成部）と、前記超音波画像データから計測値を導出する計測値演算手段（計測値演算部）と、前記計測値に外部からの入力データを追加してリポートデータを作成するリポート作成手段（リポート作成部）と、前記超音波画像データおよび前記リポートデータそれぞれを、表示部（モニタ）に表示するための表示画像データに変換して出力する表示出力手段（表示出力部）と、前記リポート作成手段に前記入力データを入力する入力手段（入力装置）と、前記表示出力手段から出力された前記表示画像データを記憶する画像記憶手段（画像記憶部）と、前記表示画像データと前記リポートデータとを記憶するデータ記憶手段（データ記憶部）と、前記表示画像データと対応する前記リポートデータとを関連付けて前記データ記憶手段に記憶させ、保存されている前記表示画像データおよび前記リポートデータを読み出す際は、前記データ記憶手段に保存されている前記リポートデータを前記リポート作成手段に送り、かつ前記データ記憶手段に保存されている前記表示画像データに基づいて画像を表示させるデータ制御手段（データ制御部）とを備えた。
【０００８】
なお、表示画像データには、リポートデータを画像表示するためのリポート画像表示データと、超音波画像データを画像表示するための超音波画像表示データとがある。
【０００９】
このような構成により、リポートデータと表示画像データとを電子ファイルとして保管することが可能である。また、表示画像データとリポートデータとが関連付けされているため、表示画像データに基づいて表示されている画像を閲覧しながら、対応するリポートデータを検索閲覧することが可能である。したがって、効率よく所望とするリポートデータを読み出すことができる。
【００１０】
また、前記リポートデータに関連付けられた前記表示画像データが１つ以上としてもよい。
【００１１】
このような構成により、計測項目が多い場合でも、リポートデータに関連するすべての表示画像データを関連付けすることができる。
【００１２】
また、好ましくは、前記データ制御部は、表示されている画像に対応する前記表示画像データが前記リポートデータに関連付けられている場合に、前記リポートデータが関連付けされていることを示す表示マークを表示する。
【００１３】
このような構成により、表示画像データに基づいて表示されている画像を閲覧している際に、関連付けられているリポートデータがあることを操作者が認識でき、表示されている他の画像と区別することができる。
【００１４】
また、好ましくは、前記入力手段により、画像表示されている前記表示マークが任意に選択されると、前記データ制御部は、前記データ記憶部から、前記表示されている画像に対応する前記表示画像データに関連付けられた前記リポートデータを読み出す。
【００１５】
このような構成により、表示画像データに基づいて表示されている画像を閲覧しながら容易に対応するリポートデータを読み出すことができる。
【発明の効果】
【００１６】
本発明によれば、リポートデータと、それに対応する表示画像データとを関連付けすることで、過去の計測リポートの検索閲覧が容易にできる超音波診断装置を提供することができる。
【発明を実施するための最良の形態】
【００１７】
以下、本発明の実施の形態について図面を参照して説明する。
【００１８】
図１は、本実施の形態に係る超音波診断装置の一構成例を示すブロック図である。
【００１９】
図１において、超音波探触子１２（電気音響変換手段）は、超音波を発信し、被検査物で反射した超音波を受信し、その超音波信号は超音波画像形成部１（超音波画像形成手段）に入力される。探触子１２で受波された超音波信号に基づいて、超音波画像形成部１は、超音波画像データを形成する。超音波画像データは、計測値演算部２（計測値演算手段）に送信されると共に、表示出力部４（表示出力手段）で表示画像データである超音波画像表示データに変換され、電子ファイルとして出力される。この超音波画像表示データに基づいてモニタ１０（表示部）に超音波画像が表示される。また、超音波画像表示データは、画像記憶部６（画像記憶手段）に送られ保存される。
【００２０】
計測値演算部２は、超音波画像形成部１より受信した超音波画像データを用いて、距離、面積などの検査項目に応じた計測を行い、演算して求めた計測値をリポート作成部３（リポート作成手段）に送信する。同時に、計測値演算部２で求めた計測値は、表示出力部４を介してモニタ１０に送信されて、リポートとして画像表示される。なお、計測値演算部２からリポート作成部３へ送信される計測値には、操作者が計測を実施した項目およびそれに関連する計測名や計測単位などが含まれていてもよい。
【００２１】
操作者は、実施した検査の計測値を元にリポートデータを作成する。操作者は、入力装置１１（入力手段）を利用して、リポートデータへの入力および編集が可能である。操作者が、例えばキーボードやマウス等の入力装置１１を用いて入力した入力データは、リポート作成部３に入力され、計測値に追加される。リポート作成部３は、計測値に入力データを追加してリポートデータを作成する。また、リポート作成部３にて作成されたリポートデータは、表示出力部４で表示画像データであるリポート画像表示データに変換され、電子ファイルとして出力されて、リポートとしてモニタ１０に表示されている。操作者は、モニタ１０に表示されたリポートを見ながら編集作業を行うことができる。また、リポート画像表示データは、画像記憶部６に送られ保存される。
【００２２】
また、リポート作成部３で作成されたリポートデータはリポート出力部５を介して電子ファイルとしてデータ制御部８（データ制御手段）へ送信される。
【００２３】
データ制御部８は、リポート出力部５より受信したリポートデータと、画像記憶部６から受信した、画像記憶部６に記憶されている表示画像データ（超音波画像表示データおよびリポート画像表示データ）とを関連付ける。具体的には、ファイル名や患者名や患者ＩＤ等の検査情報を元に作成する関連条件ファイルと共に、リポートデータと表示画像データとをデータ記憶部９（データ記憶手段）へ保存する。このようにすることで、表示画像データに基づいて、対応するリポートデータを関連条件ファイルから検索することができる。なお、計測項目が多数で１画面で表示が困難な場合は、リポートデータに関連付けられる表示画像データはそれぞれ複数であってもよい。
【００２４】
データ記憶部９に記憶されているリポートデータおよび表示画像データを読み出す場合は、入力装置１１から特定の操作を行う。すなわち、入力装置１１からデータ制御部８に読み出しの指令がとどくと、データ制御部８はデータ記憶部９に保存されている表示画像データを読み出し、表示出力部４を介してモニタ１０に超音波画像およびリポート表示画像を表示させる。
【００２５】
なお、リポートデータ、表示画像データおよびそれらの関連付けにおける関連情報は単体の電子ファイルとなっていてもよい。
【００２６】
また、モニタ１０に超音波画像およびリポート表示画像が表示されている際に、これら表示画像に関連付けされたリポートデータを、表示画像に基づいて選択して読出すことができる。すなわち、モニタ１０に表示画像が表示されている際に、同時に、この表示画像に対応する表示画像データに関連付けされたリポートデータがあることを示すアイコン（表示マーク）が表示されている。さらに、操作者が、入力装置１１を用いて、このアイコンを選択することで、データ制御部８は、表示されている表示画像に対応する表示画像データに関連付けされたリポートデータをデータ記憶部９から読み出し、読取り部７を介してリポート作成部３に送信する。リポート作成部３に送信されたリポートデータは、表示出力部４でリポート画像表示データに変換されモニタ１０にリポートとして表示される。さらに操作者は入力装置１１を用いて、モニタ１０に表示されたリポートを見ながらリポートデータを編集することができる。編集されたリポートデータは、リポート出力部５を介して、データ制御部８に送信される。また、編集されたリポートデータに対応したリポート表示画像がモニタ１０に表示される。また、リポート画像表示データは、画像記憶部６に送られ、画像記憶部６に記憶され、対応するリポートデータと関連付けられてデータ制御部８に送信されて、データ記憶部９に再保存される。
【００２７】
次に、本実施の形態に係る超音波診断装置のリポートデータの保存と読み出しにおける動作について、図１に加えて、図２〜図６を参照して説明する。
【００２８】
本実施の形態の超音波診断装置１００によれば、超音波診断リポートデータと超音波診断表示画像データとを関連付けして保存／読み出しを行うことが可能である。図２は、本実施の形態に係る超音波診断装置に表示されるリポートの一例を示す図である。具体的には、図２は、リポート作成部３にて作成されるリポートデータの画像の一例がモニタ画面１０ａに表示されている状態を示す図である。図２に示すリポート２１は、リポート上部２２に患者情報を、リポート中部２３に操作者のコメント欄を、そしてリポート下部２４に検査による計測値を記載している。このようなリポート２１が、超音波診断装置１００に保存される手順について図３を用いて説明する。図３は、本実施の形態に係る超音波診断装置においてリポートデータおよび表示画像データが保存される方法を示すフローチャートである。なお、以下の説明では図２を参照する。
【００２９】
まず、リポート作成部３のリポートデータがリポートとして表示されている状態で、入力装置１１で特定の操作を行うことにより、リポート保存を実行する処理が開始される（ステップＳ４０１）。なお、入力装置１１上の特定の操作とは、例えば、マウスのクリックやキーボード操作などである。
【００３０】
次に、ＥＸＡＭ確認を行う（ステップＳ４０２）。具体的には、リポート２１に記載されている検査の種別情報を収集し検査情報として関連情報ファイルに保存する。ファイル名は例えば検査情報（例えば、患者ＩＤとＥＸＡＭ名等）から作成すればよい。なお、この種別情報は以下で説明する、リポートデータが新規か否かを判断する（ステップＳ４０３）際の判断基準にもなっている。
【００３１】
次に、データ記憶部９に既存のリポートデータまたはそれに対応する表示画像データの情報が記録されているかを調べ、既に記録されているリポートデータの有無を判定し、今回保存するリポートデータが新規か否かを判断する（ステップＳ４０３）。既存リポートデータがあれば新規ではない（ステップＳ４０３のＮｏ）ので、上書き保存をするかどうかの判断処理（ステップＳ４０４）へ進み、既存リポートデータが無ければ新規（ステップＳ４０３のＹｅｓ）なので、リポートデータの保存処理（ステップＳ４０５）へ進む。
【００３２】
上書き保存をするかどうかの判断処理（ステップＳ４０４）では、操作者に上書き保存作業を実施するか否かを問い合わせ、上書きするか否かを判断する。問い合わせ方法は、例えばモニタ１０にその旨表示する等の方法とすればよい。上書き保存作業を実施する場合（ステップＳ４０４のＹｅｓ）には、データ制御部８はリポート作成部３で作成したリポートデータを、リポート出力部５から、データ記憶部９の既存のリポートデータに対して上書き保存する（ステップＳ４０５）。
【００３３】
上書き保存作業を実施しない場合（ステップＳ４０４のＮｏ）には、処理を終了する。なお、上書き保存を実施した場合には、既存の表示画像データと新規リポートデータとが関連付けされることとしても良い。
【００３４】
リポートデータが新規か否かの判断処理（ステップ４０３）で、リポートデータが新規である（ステップＳ４０３のＹｅｓ）と判断された場合は、データ制御部８はリポートデータをリポート出力部５からデータ記憶部９に保存する（ステップＳ４０５）。
【００３５】
次に、データ制御部８は画像記憶部６に保存されている表示画像データをデータ記憶部９へ保存する（ステップＳ４０６）。
【００３６】
次に、データ記憶部９に保存されたリポートデータおよび表示画像データに対して関連付け情報を付与して関連付けを実施し（ステップＳ４０７）、処理を終了する。
【００３７】
また、本実施の形態に係る超音波診断装置１００によれば、過去の表示画像データおよびその他の情報（例えば、リポートデータおよび関連付けにおける関連情報等）は超音波診断装置１００内のデータ記憶部９に保存されている。例えば、データ制御部８は、データ記憶部９に保存されている表示画像データを読み出して、モニタ１０に表示することができる。図４は、本実施の形態に係る超音波診断装置の表示画面に表示される画像閲覧画面の表示の一例を示す図である。具体的には、データ記憶部９に保存されている過去の表示画像データに基づいた表示画像を表示した閲覧画面の一例である、モニタ１０の表示画面１０ａに表示されている画像閲覧表示３１を示す図である。例えば、過去のデータを読み出す際には、データ制御部８がデータ記憶部９より過去の表示画像データを読み出し、表示画面１０ａに画像閲覧表示３１を表示する。例えば、画像閲覧表示３１には、超音波画像表示データに基づいて表示された超音波画像３２、リポート画像表示データに基づいて表示されたリポート表示画像３３ａ、３３ｂおよび３３ｃが表示されている。また、超音波画像３２、リポート表示画像３３ａ、３３ｂおよび３３ｃに、それぞれ関連付けられているリポートデータがあることを示す表示マークとしての各アイコン３４および画像閲覧サイズ分割切替えボタン３５が表示されている。なお、入力装置１１を用いて分割切替えボタン３５を押下することで、画像閲覧表示３１における画面の分割数を変更することができる。また、アイコン３４を押下することにより、関連条件ファイルを参照して対応するリポートデータを検索、表示することができる。このような画像閲覧表示３１は、以下に説明する図５に示すような処理により表示される。図５は、本実施の形態に係る超音波診断装置の画像閲覧画面の表示処理を示すフローチャートである。なお、以下の説明では図３を参照する。
【００３８】
まず、入力装置１１で特定の操作を行うことでデータ制御部８が表示出力部４を介してモニタ１０に画像閲覧表示３１を表示させ、画像閲覧表示が開始される（ステップＳ５０１）。
【００３９】
次に、画像閲覧表示３１に表示する超音波画像３２、リポート表示画像３３ａ、３３ｂおよび３３ｃを読み出すために計測値に関連付けられた情報を参照する（ステップＳ５０２）。
【００４０】
次に、計測値参照処理（ステップＳ５０２）で参照した計測値に基づいた表示画像データをデータ記憶部９から順次読み出す（ステップＳ５０３）。
【００４１】
次に、表示画像データに関連付けられているリポートデータがあるか否かを判定する（ステップＳ５０４）。リポートデータが関連付けられていれば（ステップＳ５０４のＹｅｓ）、関連付け情報の読み出し処理（ステップＳ５０５）を行い、リポートデータが関連付けられていなければ（ステップＳ５０４のＮｏ）、画像表示処理（ステップＳ５０７）を行う。
【００４２】
関連付け情報の読み出し処理（ステップＳ５０５）は、リポートデータから検査内容を読み込み、それに該当する関連付け情報に対応するアイコン画像を読み出す。
【００４３】
次に、アイコン情報を元にして該当するアイコン３４を表示出力部４を介してモニタ１０に表示して（ステップＳ５０６）、その後、画像表示処理（ステップＳ５０７）を行う。
【００４４】
画像表示処理（ステップＳ５０７）は、表示出力部４を介して表示画像データである超音波画像表示データまたはリポート画像表示データに基づいて表示された超音波画像３２またはリポート表示画像３３ａ、３３ｂおよび３３ｃをモニタ１０へ表示する。その後、処理を終了して待機する。
【００４５】
上述のような表示画像データと、リポートデータとの関連付けをもとにしたリポートデータの読み出しについては、図６を用いて、以下に説明するような処理により行われる。図６は、本実施の形態に係る超音波診断装置のリポートデータの読み出し処理を示すフローチャートである。なお、以下の説明では図３を参照している。
【００４６】
まず、入力装置１１で特定の操作を行い（例えば、マウスでクリックする）、アイコン３４を押下する（ステップＳ６０１）。
【００４７】
次に、押下されたアイコン３４とともに表示されている超音波画像３２およびリポート表示画像３３ａ、３３ｂおよび３３ｃに関連したリポートデータを参照する（ステップＳ６０２）。
【００４８】
次に、データ記憶部９から、表示画像に関連付けされている対応するリポートデータを読み出して読取り部７へリポートデータを転送する（ステップＳ６０３）。
【００４９】
次に、リポート作成部３から、表示出力部４を介してモニタ１０に、例えば図２に示すリポートデータに基づいて表示したリポート２１を表示し（ステップＳ６０４）、入力装置１１からの編集と再保存を可能な状態にする。その後、処理を終了し待機する。
【００５０】
以上に述べた如く、本実施の形態の超音波診断装置は、リポートデータの閲覧と読み出しを容易にすることが可能である。
【産業上の利用可能性】
【００５１】
本発明の超音波診断装置は、過去の計測リポートの検索閲覧が容易にできるという利点を有し、検査リポート編集の際の労力を軽減することができる超音波診断装置として有用である。
【図面の簡単な説明】
【００５２】
【図１】本実施の形態に係る超音波診断装置の一構成例を示すブロック図
【図２】本実施の形態に係る超音波診断装置に表示されるリポートの一例を示す図
【図３】本実施の形態に係る超音波診断装置においてリポートデータおよび表示画像データが保存される方法を示すフローチャート
【図４】本実施の形態に係る超音波診断装置が表示する画像閲覧画面の表示の一例を示す図
【図５】本実施の形態に係る超音波診断装置における画像閲覧画面の表示処理を示すフローチャート
【図６】本実施の形態に係る超音波診断装置におけるリポートデータの読み出し処理を示すフローチャート
【図７】従来の超音波診断装置のモニタに各電子ファイルが表示されている表示の一例を示す図
【符号の説明】
【００５３】
１      超音波画像形成部
２      計測値演算部
３      リポート作成部
４      表示出力部
５      リポート出力部
６      画像記憶部
７      読取り部
８      データ制御部
９      データ記憶部
１０    モニタ
１０ａ  モニタ画面
１１    入力装置
１２    探触子
２１    リポート
２２    リポート上部
２３    リポート中部
２４    リポート下部
３１    画像閲覧表示
３２    超音波画像
３３ａ、３３ｂ、３３ｃ  リポート表示画像
３５    分割切替えボタン
３４    アイコン
１００  超音波診断装置
７００  表示
【図１】
2005287753.tif 000003
【図２】
2005287753.tif 000004
【図３】
2005287753.tif 000005
【図４】
2005287753.tif 000006
【図５】
2005287753.tif 000007
【図６】
2005287753.tif 000008
【図７】
2005287753.tif 000009